(57)【要約】【課題】安全性、操作性の観点から極めて有利な有機物、塩化水素およびホスゲンを含有する混合ガス中の有機物の濃度の測定方法。【解決手段】下記の第１から第４工程を含む。第１工程：有機物、塩化水素およびホスゲンを含有する混合ガスを水に接触させて、塩酸と脱塩化水素ガスに分離し、塩化水素の量を測定する工程第２工程：第１工程で得られた脱塩化水素ガスをアンモニア水に接触させて、尿素溶液と脱塩化水素およびホスゲンガスに分離し、ホスゲンの量を測定する工程第３工程：第２工程で得られた脱塩化水素およびホスゲンガスを前記有機物以外の有機溶媒に接触させて、前記有機物の溶解した有機溶媒と未吸収ガスに分離し、前記有機物の量を測定する工程第４工程：第３工程で得られた未吸収ガスの量を測定する工程【選択図】  なし【特許請求の範囲】
【請求項１】
下記の第１から第４工程を含むことを特徴とする有機物、塩化水素およびホスゲンを含有する混合ガス中の有機物の濃度の測定方法。
第１工程：有機物、塩化水素およびホスゲンを含有する混合ガスを水に接触させて、塩酸と脱塩化水素ガスに分離し、塩化水素の量を測定する工程
第２工程：第１工程で得られた脱塩化水素ガスをアンモニア水に接触させて、尿素溶液と脱塩化水素およびホスゲンガスに分離し、ホスゲンの量を測定する工程
第３工程：第２工程で得られた脱塩化水素およびホスゲンガスを前記有機物以外の有機溶媒に接触させて、前記有機物の溶解した有機溶媒と未吸収ガスに分離し、前記有機物の量を測定する工程
第４工程：第３工程で得られた未吸収ガスの量を測定する工程
【発明の詳細な説明】
【０００１】
【発明の属する技術分野】
本発明は、有機物、塩化水素およびホスゲンを含有する混合ガス中の有機物の濃度を測定する方法に関するものである。更に詳しくは、本発明は、有機物、塩化水素およびホスゲンを含有する混合ガス中の有機物の濃度を測定するに際し、有機物の濃度を安全に、かつ簡易な操作で測定することができ、よって安全性、操作性の観点から極めて有利な有機物、塩化水素およびホスゲンを含有する混合ガス中の有機物の濃度の測定方法に関するものである。
【０００２】
【従来の技術】
燃焼、化学反応などに伴って煙道、煙突、ダクトに排出される排ガス中のダイオキシン類を測定する方法としては、試料ガスをヘキサンで洗浄した水、ジエチレングリコールに接触させ、捕集したダイオキシン類をガスクロマトグラフ質量分析計で測定する方法（非特許文献１）などが知られている。しかしながら、試料ガス中にホスゲンが含まれる場合は、ジエチレングリコール中のダイオキシンを測定する際、操作上安全に測定ができないという問題がある。
【０００３】
【非特許文献１】
ＪＩＳ  Ｋ  ０３１１  日本規格協会発行
【０００４】
【発明が解決しようとする課題】
かかる現状に鑑み、本発明が解決しようとする課題は、有機物、塩化水素およびホスゲンを含有する混合ガス中の有機物の濃度を測定するに際し、有機物の濃度を安全に、かつ簡易な操作で測定することができ、よって安全性、操作性の観点から極めて有利な有機物、塩化水素およびホスゲンを含有する混合ガス中の有機物の濃度の測定方法を提供する点に存するものである。
【０００５】
【課題を解決するための手段】
すなわち、本発明は、下記の第１から第４工程を含むことを特徴とする有機物、塩化水素およびホスゲンを含有する混合ガス中の有機物の濃度の測定方法に係るものである。
第１工程：有機物、塩化水素およびホスゲンを含有する混合ガスを水に接触させて、塩酸と脱塩化水素ガスに分離し、塩化水素の量を測定する工程
第２工程：第１工程で得られた脱塩化水素ガスをアンモニア水に接触させて、尿素溶液と脱塩化水素およびホスゲンガスに分離し、ホスゲンの量を測定する工程
第３工程：第２工程で得られた脱塩化水素およびホスゲンガスを前記有機物以外の有機溶媒に接触させて、前記有機物の溶解した有機溶媒と未吸収ガスに分離し、前記有機物の量を測定する工程
第４工程：第３工程で得られた未吸収ガスの量を測定する工程
【０００６】
【発明の実施の形態】
本発明においては、有機物、塩化水素およびホスゲンを含有する混合ガス中の塩化水素、ホスゲンおよび有機物を分離した後に、未吸収ガスの量を測定する必要がある。このことにより、有機物の濃度を安全に、かつ簡易な操作で測定することができる。
【０００７】
本発明においては、有機物としては、例えば、エタン、エチレン、アセチレン、プロパン、プロピレンなどの脂肪族炭化水素類、ベンゼン、トルエンなどの芳香族炭化水素類、クロロホルム、四塩化炭素、ヘキサクロロエタン、モノクロロベンゼン、ジクロロベンゼン、ヘキサクロロベンゼンなどの塩素化化合物などがあげられる。
【０００８】
本発明においては、有機物、塩化水素およびホスゲンを含有する混合ガスを接触させる水の量は、測定操作が終了した時点で塩酸の濃度が２０重量％以下となるのが好ましい。測定操作が終了した時点で塩酸の濃度が２０重量％を超えると、塩酸と脱塩化水素ガスに分離できなくなる可能性がある。ここでいう、塩酸とは有機物、塩化水素およびホスゲンを含有する混合ガスを水に接触させた後の水であり、塩化水素を吸収させた水溶液である。また、脱塩化水素ガスとは有機物、塩化水素およびホスゲンを含有する混合ガスを水に接触させた時に、水に吸収されなかったガスである。
【０００９】
塩化水素の量の測定は、塩酸の量と塩酸の濃度から求めることができる。塩酸の濃度の測定方法としては、塩酸の濃度が測定できれば、重量測定法、中和滴定法、イオンクロマトグラフ法、比重計法などいかなる方法で良い。
【００１０】
本発明においては、第１工程で得られた脱塩化水素ガスを接触させるアンモニア水は、アンモニア水中のアンモニアが有機物、塩化水素およびホスゲンを含有する混合ガス中のホスゲンに対し、４モル当量以上が好ましい。４モル当量より少ない場合には、ホスゲンを吸収できない可能性がある。
【００１１】
ホスゲンの量の測定は、尿素溶液の重量増加を測定する方法や、尿素溶液の量と尿素の濃度から求めることができる。ここでいう、尿素溶液とは、第１工程で得られた脱塩化水素ガスをアンモニア水に接触させた後のアンモニア水であり、尿素が溶解した溶液である。
【００１２】
尿素の濃度を測定する方法としては、溶液中の尿素の濃度が測定できれば、液相クロマトグラフ法、ガスクロマトグラフ法などいかなる方法で良い。
【００１３】
本発明においては、第２工程で得られた脱塩化水素およびホスゲンガスを接触させる有機溶媒としては、有機物、塩化水素およびホスゲンを含有する混合ガス中の有機物とは異なるものであり、かつ有機物を溶解させることができるものならばいかなるものでも良く、例えば、ジクロロメタン、クロロホルム、四塩化炭素などの塩素化化合物、トルエン、キシレンなどの芳香族炭化水素類、二硫化炭素などがあげられる。ここでいう、脱塩化水素およびホスゲンガスとは、第１工程で得られた脱塩化水素ガスをアンモニア水に接触させた時に、アンモニアに吸収されなかったガスである。
【００１４】
有機物の量の測定は、有機物の溶解した有機溶媒の量と有機物の濃度から求められる。有機物の濃度を測定する方法は、有機溶媒中の有機物が測定できるものならば、ガスクロマトグラフィー法、液相クロマトグラフィー法などのいかなる方法で良い。
【００１５】
本発明においては、第３工程で得られた未吸収ガスの量の測定方法は、ガスの量が測定できるものならば、ガスメーター法、水上置換法などいかなる方法で良い。
【００１６】
【発明の効果】
以上説明したとおり、本発明により、有機物、塩化水素およびホスゲンを含有する混合ガス中の有機物の濃度を安全に、かつ簡易な操作で測定することができ、よって安全性、操作性の観点から極めて有利な有機物、塩化水素およびホスゲンを含有する混合ガス中の有機物の濃度の測定方法を提供することができた。